(57)【要約】【課題】リーダ／ライタは電波の拡散や反射などで隣接するアンテナで所望のＲＦＩＤタグと通信してしまうことがあり、この誤認を避けるため、従来はアンテナからの放射電波を弱めたり、指向性を強くしたり、遮蔽壁を設けたりしていたが、結果として、多数のアンテナが必要になり、リーダ／ライタも多数必要になっていた。【解決手段】Ｒ／Ｗ１は無線通信用高周波電力を給電ケーブルを介して給電し、無線自動識別タグ６と送受信するための送受信部を備え、Ｒ／Ｗ１に接続され、給電ケーブルからの無線通信用高周波電力を、接続されたアンテナ類ＡＴ又は外部に中継する複数の高周波切替部（ＲＦスイッチ４）を備え、高周波切替部のそれぞれが直列に接続され、Ｒ／Ｗ１により高周波切替部を介してアンテナ類ＡＴを時分割駆動しアンテナ類ＡＴを時分割で切替使用する。【選択図】図１
2009069934.tif 000002
【特許請求の範囲】
【請求項１】
情報の読み書きを行うためのリーダ／ライタとの間で電波によって非接触で情報のやり取りを行う無線自動識別タグを識別対象物に関連付けて複数備えると共に、前記各無線自動識別タグと無線通信可能な位置に設けた送受信アンテナ、漏洩同軸ケーブル、ストリップラインの何れかで構成されたアンテナ類を複数備え、
前記リーダ／ライタが前記無線自動識別タグと通信できた場合、その無線自動識別タグは、そのアンテナ類が設置された位置にあると認識するタグ識別装置において、
前記リーダ／ライタは、無線通信用高周波電力を給電ケーブルを介して給電し、前記無線自動識別タグと送受信するための送受信部を備えると共に、
前記リーダ／ライタに接続され、前記給電ケーブルからの無線通信用高周波電力を、接続されたアンテナ類又は外部に中継する複数の高周波切替部を備え、
前記高周波切替部のそれぞれが直列に接続され、前記リーダ／ライタにより高周波切替部を介してアンテナ類を時分割駆動することで、前記アンテナ類を時分割で切替使用するように構成されていることを特徴とするタグ識別装置。
【請求項２】
情報の読み書きを行うためのリーダ／ライタとの間で電波によって非接触で情報のやり取りを行う無線自動識別タグを識別対象物に関連付けて複数備えると共に、前記各無線自動識別タグと無線通信可能な位置に設けた送受信アンテナ、漏洩同軸ケーブル、ストリップラインの何れかで構成されたアンテナ類を複数備え、
前記リーダ／ライタが前記無線自動識別タグと通信できた場合、その無線自動識別タグは、そのアンテナ類が設置された位置にあると認識するタグ識別装置において、
前記リーダ／ライタは、無線通信用高周波電力を給電ケーブルを介して給電し、前記無線自動識別タグと送受信するための送受信部を備えると共に、
前記リーダ／ライタに接続され、前記給電ケーブルからの無線通信用高周波電力を複数のアンテナ類に対して切替中継する高周波切替ハブを備え、前記リーダ／ライタにより前記高周波切替ハブを介してアンテナ類を時分割駆動することで、前記アンテナ類を時分割で切替使用するように構成されていることを特徴とするタグ識別装置。
【請求項３】
前記請求項１又は２のタグ識別装置において、
前記リーダ／ライタは、前記給電ケーブルに直流電圧を給電する直流重畳部を備え、
前記高周波切替部及び高周波切替ハブには、前記直流電圧を分離する直流分離部を備えると共に、
後段の高周波切替部及び高周波切替ハブには前記直流電圧を給電する直流重畳部を備えていることを特徴とするタグ識別装置。
【請求項４】
前記請求項１又は２のタグ識別装置において、
前記高周波切替部及び高周波切替ハブに、直流電圧を給電する電源バスを備えていることを特徴とするタグ識別装置。
【請求項５】
前記請求項１、３、４のいずれかのタグ識別装置において、
少なくとも一つの高周波切替部の後段に、複数の送受信アンテナ類に対して切替中継する高周波切替ハブを接続したことを特徴とするタグ識別装置。
【発明の詳細な説明】
【技術分野】
【０００１】
本発明は、所定の電波信号を利用したタグ識別装置に関する。近年、リーダ／ライタに代表される外部機器との間で、電波によって非接触で情報のやり取りを行う種々のＲＦＩＤ（Radio Frequency Identification：無線自動識別）タグが注目されており、それを利用した業務の合理化が進められている。
【０００２】
ここで、ＲＦＩＤタグの存在する位置情報を取得して利用するシステムでは、一般的にリーダ／ライタのアンテナ設置位置がＲＦＩＤタグ（以下、単に「タグ」とも記す）の位置に関連つけられている。すなわち、リーダ／ライタがタグと通信できたら、そのタグは、そのアンテナが設置された位置にある、と判断される。
【０００３】
このようなシステムでは、電波の拡散や反射などで、隣接するアンテナで所望のＲＦＩＤタグと通信してしまうことがある。前記のような誤認を避けるため、従来はアンテナからの放射電波を弱めたり、指向性を強くしたり、遮蔽壁を設けたりしていたが、これらの方法は、通信エリアを限定する（狭める）ことに尽きるので、結果として、多数のアンテナが必要になり、リーダ／ライタも多数必要になっていた。従って、この点の改善が要望されていた。
【背景技術】
【０００４】
(1) ：従来例１
図１９は従来例１の説明図であり、Ａ図はアンテナ類接続構成を示した図、Ｂ図はタイミングチャートを示した図である。以下、図１９に基づいて従来例１を説明する。
【０００５】
この例では、パーソナルコンピュータ（以下、単に「ＰＣ」と記す）３にリーダ／ライタ（以下「Ｒ／Ｗ」と記す）１を接続し、このＲ／Ｗ１に対し、複数のポートＰ０、Ｐ１、Ｐ２、Ｐ３を介してアンテナ類ＡＴ１、ＡＴ２、ＡＴ３、ＡＴ４を同軸ケーブルを使用して接続する。このような配線はスター配線となっている。
【０００６】
この場合、前記アンテナ類ＡＴ１、ＡＴ２、ＡＴ３、ＡＴ４は、送受信アンテナ、漏洩同軸ケーブル、ストリップラインのいずれかであるとする。また、アンテナ類ＡＴ１、ＡＴ２、ＡＴ３、ＡＴ４の近傍にはそれぞれタグ（ＲＦＩＤタグ）６が設けてあり、ＰＣ３の制御によりＲ／Ｗ１と各アンテナ類ＡＴ１、ＡＴ２、ＡＴ３、ＡＴ４を介して各タグとが通信できるように構成されている。
【０００７】
例えば、タイミングチャートとしては図１９のＢ図のようになる。図１９のＢ図において、ｔ１、ｔ２、ｔ３・・・ｔ１４はそれぞれＲ／Ｗ１が時分割駆動を行なった場合の各タイミング例である。この場合、数字の１、２、３、４はそれぞれＲ／Ｗ１からの送信波（駆動パルス）であり、順次タイミングがずれて出力される。
【０００８】
Ｒ／Ｗ１の各ポートＰ０、Ｐ１、Ｐ２、Ｐ３から順次１、２、３、４の送信波が出力されると、各アンテナ類ＡＴ１乃至ＡＴ４は順次駆動され、それに伴い、各アンテナ類ＡＴ１乃至ＡＴ４に近接配置されたタグ６は、順次Ｒ／Ｗ１と通信できるようになる。この通信によりＲ／Ｗ１と通信できたタグ６は、該タグの近傍に配置されたアンテナ類ＡＴの位置にあるとＲ／Ｗ１により認識される。
【０００９】
前記のように、Ｒ／Ｗ１とアンテナ類ＡＴとの間で、電波によって非接触で情報のやり取りを行う種々のＲＦＩＤ（Radio Frequency Identification：無線自動識別）タグが注目されており、それを利用した業務の合理化が進められていた。
【００１０】
ここで、ＲＦＩＤタグの存在する位置情報を取得して利用するシステムでは、一般的にＲ／Ｗ１のアンテナ設置位置がタグ（ＲＦＩＤタグ）６の位置に関連づけられている。すなわち、タグ６と通信できたら、そのタグ６は、そのアンテナ（アンテナ類ＡＴ）が設置された位置（既知の位置）にあると判断される。
【００１１】
(2) ：従来例２
以下、特許文献１（特開平１０−６６１３６号公報）を従来例２として説明する。従来例２には次のような内容が記載されている。
【００１２】
(a) ：「携帯し易く、電池寿命の長い可搬型無線電波受信源あるいは送信源を使用して精度の高い所在位置の検出が可能の所在位置検出システムを得ることである。」・・・要約の欄を参照
(b) ：「本発明は、クリーンルーム、病院、オフィスなど特定の地域や構内のような多数の人が行動する場所において、電波の発信源を持つ複数の特定者の所在位置を管理し、表示する所在位置検出システムに関するものである。」・・・段落番号［０００１］参照  (3) ：従来例３
以下、特許文献２（特開平８−７９１６４号公報）を従来例３として説明する。従来例３には次のような内容が記載されている。
【００１３】
(a) ：「本発明は、移動体を識別してデータ通信等の処理を行う移動体識別装置の通信方法に関し、特に、複数の移動体を対象とする移動体識別装置の通信方法に関する。」・・・段落番号［０００１］参照
(b) ：「本発明の目的は、・・・隣接して設置したアンテナの通信エリアを意図的に限定する構成とし、隣り合ったアンテナの双方と通信することを避け、一つのアンテナのみと通信させて位置検出をさせる通信手法を提供することである。」・・・段落番号［０００５］参照
【特許文献１】特開平１０−６６１３６号公報
【特許文献２】特開平８−７９１６４号公報
【発明の開示】
【発明が解決しようとする課題】
【００１４】
(1) ：近年、リーダ／ライタに代表される外部機器との間で、電波によって非接触で情報のやり取りを行う種々のＲＦＩＤ（Radio Frequency Identification：無線自動識別）タグが注目されており、それを利用した業務の合理化が進められている。
【００１５】
ここで、ＲＦＩＤタグの存在する位置情報を取得して利用するシステムでは、一般的にリーダ／ライタのアンテナ設置位置がタグの位置に関連つけられている。すなわち、タグと通信できたら、そのタグは、そのアンテナが設置された位置にある、と判断される。
【００１６】
このようなシステムでは、電波の拡散や反射などで、隣接するアンテナで所望のＲＦＩＤタグと通信してしまうことがある。前記のような誤認を避けるため、従来はアンテナからの放射電波を弱めたり、指向性を強くしたり、遮蔽壁を設けたりしていたが、これらの方法は、通信エリアを限定する（狭める）ことに尽きるので、結果として、多数のアンテナが必要になり、リーダ／ライタも多数必要になっていた。
【００１７】
また、従来例１では、１台のリーダ／ライタが複数のアンテナ類ＡＴを直接、時分割駆動しているため、リーダ／ライタとタグとの通信回数が増え、動作も遅くなり、効率が悪くなる。更に、１台のリーダ／ライタに接続できるアンテナ類ＡＴの数も限られ、多数のアンテナ類ＡＴを時分割駆動できない。
【００１８】
(2) ：従来例２（特開平１０−６６１３６号公報）の所在位置検出システムでは、複数の基地局が、相互に同期したクロックパルスを基に、時分割により電波を発信し、各可搬型無線送受信器に対して識別信号を要求するという内容（請求項３参照）である。
【００１９】
このような内容の従来例２は、複数の基地局がクロック同期され、時分割で個々の基地局のアウンテナから発信されるが、本発明では、アンテナ毎に時分割駆動する点で相違する。本発明では、基地局構成は一つで良い。また、複数局でもクロック同期は不要であり、従来例２は本発明の参考程度の内容である。
【００２０】
(3) ：従来例３（特開平８−７９１６４号公報）の移動体識別装置の通信方法では、複数個のアンテナを一つのブロックとし、該ブロックを複数並べて各ブロックを時分割駆動されるという内容（請求項２参照）である。
【００２１】
このように、従来例３は、複数のアンテナで１ブロックをカバーし、複数のブロックに対して時分割駆動するが、本発明では、一つの送受信部からアンテナ毎に時分割駆動するから複数のキャリアが不要である。従って、従来例３は本発明の参考程度の内容である。      
【００２２】
本発明は従来の課題を解決するためになされたものであり、リーダ／ライタを増やすことなく、多数のアンテナ類を接続してＲＦＩＤタグと位置情報の関連付けを確実に行なえるようにすることを目的とする。
【課題を解決するための手段】
【００２３】
本発明は前記の目的を達成するため、次のように構成した。
【００２４】
(1) ：情報の読み書きを行うためのリーダ／ライタとの間で電波によって非接触で情報のやり取りを行う無線自動識別タグを識別対象物に関連付けて複数備えると共に、前記各無線自動識別タグと無線通信可能な位置に設けた送受信アンテナ、漏洩同軸ケーブル、ストリップラインの何れかで構成されたアンテナ類を複数備え、前記リーダ／ライタが前記無線自動識別タグと通信できた場合、その無線自動識別タグは、そのアンテナ類が設置された位置にあると認識するタグ識別装置において、前記リーダ／ライタは、無線通信用高周波電力を給電ケーブルを介して給電し、前記無線自動識別タグと送受信するための送受信部を備えると共に、前記リーダ／ライタに接続され、前記給電ケーブルからの無線通信用高周波電力を、接続されたアンテナ類又は外部に中継する複数の高周波切替部（ＲＦスイッチ）を備え、前記高周波切替部のそれぞれが直列に接続され、前記リーダ／ライタにより前記高周波切替部を介してアンテナ類を時分割駆動することで、前記アンテナ類を時分割で切替使用するように構成されていることを特徴とする。
【００２５】
(2) ：情報の読み書きを行うためのリーダ／ライタとの間で電波によって非接触で情報のやり取りを行う無線自動識別タグを識別対象物に関連付けて複数備えると共に、前記各無線自動識別タグと無線通信可能な位置に設けた送受信アンテナ、漏洩同軸ケーブル、ストリップラインの何れかで構成されたアンテナ類を複数備え、前記リーダ／ライタが前記無線自動識別タグと通信できた場合、その無線自動識別タグは、そのアンテナ類が設置された位置にあると認識するタグ識別装置において、前記リーダ／ライタは、無線通信用高周波電力を給電ケーブルを介して給電し、前記無線自動識別タグと送受信するための送受信部を備えると共に、前記リーダ／ライタに接続され、前記給電ケーブルからの無線通信用高周波電力を複数のアンテナ類に対して切替中継する高周波切替ハブ（ＲＦスイッチハブ）を備え、前記リーダ／ライタにより前記高周波切替ハブを介してアンテナ類を時分割駆動することで、前記アンテナ類を時分割で切替使用するように構成されていることを特徴とする。
【００２６】
(3) ：前記(1) 又は(2) のタグ識別装置において、リーダ／ライタは、前記給電ケーブルに直流電圧を給電する直流重畳部を備え、前記高周波切替部及び高周波切替ハブには、前記直流電圧を分離する直流分離部を備えると共に、後段の高周波切替部及び高周波切替ハブには前記直流電圧を給電する直流重畳部を備えていることを特徴とする。
【００２７】
(4) ：前記(1) 又は(2) のタグ識別装置において、前記高周波切替部及び高周波切替ハブに、直流電圧を給電する電源バスを備えていることを特徴とする。
【００２８】
(5) ：前記(1) 、(3) 、(4) のいずれかのタグ識別装置において、少なくとも一つの高周波切替部の後段に、複数の送受信アンテナ類に対して切替中継する高周波切替ハブを接続したことを特徴とする。
【００２９】
（作用）
図１は本発明の原理説明図であり、Ａ図は原理説明図１、Ｂ図は原理説明図２である。以下、前記構成に基づく本発明の作用を説明する。
【００３０】
(a) ：前記(1) 、(3) 、(4) 、(5) の作用（図１のＡ図参照）
リーダ／ライタ（Ｒ／Ｗ１）は、無線通信用高周波電力を給電ケーブルを介して給電し、前記無線自動識別タグ６と送受信するための送受信部１１を備える。そして、リーダ／ライタに接続され、給電ケーブルからの無線通信用高周波電力を、接続されたアンテナ類ＡＴ又は外部に中継する複数の高周波切替部（ＲＦスイッチ４）を備え、前記高周波切替部のそれぞれが直列に接続され、リーダ／ライタにより高周波切替部を介してアンテナ類ＡＴを時分割駆動することで、アンテナ類ＡＴを時分割で切替使用することができる。
【００３１】
このようにすれば、１台のリーダ／ライタに多数のアンテナ類ＡＴを接続し、小さい通信エリアを多数設けることができるので、電波の拡散や干渉が低減され、所望の位置情報が確実に利用できる。また、リーダ／ライタを増やすことなく、多数のアンテナ類ＡＴを接続してＲＦＩＤタグ６と位置情報の関連付けを確実に行なえる。
【００３２】
(b) ：前記(2) 、(3) 、(4) 、(5) の作用（図１のＢ図参照）
リーダ／ライタ（Ｒ／Ｗ１）は、無線通信用高周波電力を給電ケーブルを介して給電し、無線自動識別タグ６と送受信するための送受信部１１を備える。そして、リーダ／ライタに接続され、給電ケーブルからの無線通信用高周波電力を複数のアンテナ類ＡＴに対して切替中継する高周波切替ハブ（ＲＦスイッチハブ２）を備え、リーダ／ライタにより前記高周波切替ハブを介してアンテナ類ＡＴを時分割駆動することで、アンテナ類ＡＴを時分割で切替使用することができる。
【００３３】
このようにすれば、１台のリーダ／ライタに多数のアンテナ類を接続し、小さい通信エリアを多数設けることができるので、電波の拡散や干渉が低減され、所望の位置情報が確実に利用できる。また、リーダ／ライタを増やすことなく、多数のアンテナ類ＡＴを接続してＲＦＩＤタグと位置情報の関連付けを確実に行なえる。
【発明の効果】
【００３４】
本発明は請求項１乃至５により次のような効果がある。
【００３５】
(1) ：１台のリーダ／ライタに多数のアンテナ類を接続し、小さい通信エリアを多数設けることができるので、電波の拡散や干渉が低減され、所望の位置情報が確実に利用できる。
【００３６】
(2) ：多数のアンテナ類を高周波切替部（ＲＦスイッチ）、高周波切替ハブ（ＲＦスイッチハブ）を介してリーダ／ライタに接続し、一つのアンテナ類当たりの通信エリアを狭めることにより、反射や干渉を低減し、それらのアンテナ類を時分割で切替使用できる。そのため、リーダ／ライタを増やすことなく、多数のアンテナ類を接続してＲＦＩＤタグと位置情報の関連付けを確実に行なえる。
【００３７】
(3) ：従来例１では、１台のリーダ／ライタが複数のアンテナ類ＡＴを直接、時分割駆動しているため、リーダ／ライタとタグとの通信回数が増え、動作も遅くなり、効率が悪くなる。更に、１台のリーダ／ライタに接続できるアンテナ類ＡＴの数も限られ、多数のアンテナ類ＡＴを時分割駆動できない。
【００３８】
しかし、本発明では、１台のリーダ／ライタが、高周波切替部、或いは高周波切替ハブを介して複数のアンテナ類を時分割駆動しているため、従来例に比べてリーダ／ライタとタグとの通信回数が減り、動作も早くなり、効率が良くなる。更に、１台のリーダ／ライタに接続できるアンテナ類の数も多くなり、多数のアンテナ類を時分割駆動で切替使用することができる。
【００３９】
(4) ：通信エリア（セル）の最適化が容易になる。その結果、アンテナ類毎に電力を可変し、位置精度が向上する。
【００４０】
(5) ：リーダ／ライタ当たりアンテナ類の増加ができるから、配線がすっきりする。
【００４１】
(6) ：アンテナ類の設置条件の緩和ができる。すなわち、バス・スターの混在配線が可能になる。
【００４２】
(7) ：多様なアプリに対応するアンテナ類の品揃えが可能になる。例えば、漏洩同軸ケーブルやストリップラインなどの品揃えが可能になる。
【００４３】
(8) ：電波放出エリアが少なくなる。すなわち、拡散減衰を低減し、アクセスポイントの拡大ができるから、電力の有効利用が可能になる。
【発明を実施するための最良の形態】
【００４４】
以下、タグ識別装置の具体例について説明する。
【００４５】
なお、以下の説明では、ＲＦＩＤタグを単にタグとも記す。また、送受信アンテナ、漏洩同軸ケーブル、ストリップラインは、アンテナと同じような機能を有し、送受信アンテナと同じように使用するので、これらのいずれかで構成されたものをアンテナ類と呼ぶことにする。すなわち、アンテナ類とは、送受信アンテナ、漏洩同軸ケーブル、ストリップラインのいずれかのことである。
【００４６】
§１：タグ識別装置の概要説明
以下、図１に基づいて、タグ識別装置の概要を説明する。図１において、１はリーダ／ライタ（以下「Ｒ／Ｗ」とも記す）、２はＲＦスイッチハブ（高周波切替ハブ）、３はパーソナルコンピュータ（以下、「ＰＣ」とも記す）、４はＲＦスイッチ（高周波切替部）、６はＲＦＩＤタグ（以下「タグ」とも記す）、ＨＵＢはハブ、２７はＲＦ切替部を示す。
【００４７】
(1) ：情報の読み書きを行うためのＲ／Ｗ１との間で電波によって非接触で情報のやり取りを行う無線自動識別タグ６を識別対象物に関連付けて複数備えると共に、各無線自動識別タグ６と無線通信可能な位置に設けた送受信アンテナ、漏洩同軸ケーブル、ストリップラインの何れかで構成されたアンテナ類ＡＴを複数備え、Ｒ／Ｗ１が無線自動識別タグ６と通信できた場合、その無線自動識別タグ６は、そのアンテナ類ＡＴが設置された位置にあると認識するタグ識別装置において、Ｒ／Ｗ１は、無線通信用高周波電力を給電ケーブルを介して給電し、無線自動識別タグ６と送受信するための送受信部（ＲＦ送受信部１１）を備えると共に、Ｒ／Ｗ１に接続され、前記給電ケーブルからの無線通信用高周波電力を、接続されたアンテナ類ＡＴ又は外部に中継する複数のＲＦスイッチ４を備え、ＲＦスイッチ４のそれぞれが直列に接続され、Ｒ／Ｗ１によりＲＦスイッチ４を介してアンテナ類ＡＴを時分割駆動することで、アンテナ類ＡＴを時分割で切替使用する。
【００４８】
(2) ：情報の読み書きを行うためのＲ／Ｗ１との間で電波によって非接触で情報のやり取りを行う無線自動識別タグ６を識別対象物に関連付けて複数備えると共に、各無線自動識別タグ６と無線通信可能な位置に設けた送受信アンテナ、漏洩同軸ケーブル、ストリップラインの何れかで構成されたアンテナ類ＡＴを複数備え、Ｒ／Ｗ１が無線自動識別タグ６と通信できた場合、その無線自動識別タグ６は、そのアンテナ類ＡＴが設置された位置にあると認識するタグ識別装置において、Ｒ／Ｗ１は、無線通信用高周波電力を給電ケーブルを介して給電し、無線自動識別タグ６と送受信するためのＲＦ送受信部１１を備えると共に、Ｒ／Ｗ１に接続され、前記給電ケーブルからの無線通信用高周波電力を複数のアンテナ類ＡＴに対して切替中継するＲＦスイッチハブ２を備え、Ｒ／Ｗ１によりＲＦスイッチハブ２を介してアンテナ類ＡＴを時分割駆動することで、アンテナ類ＡＴを時分割で切替使用する。
【００４９】
(3) ：前記(1) 又は(2) のタグ識別装置において、Ｒ／Ｗ１は、前記給電ケーブルに直流電圧を給電する直流重畳部を備え、ＲＦスイッチ４及びＲＦスイッチハブ２には、前記直流電圧を分離する直流分離部を備えると共に、後段のＲＦスイッチ４及びＲＦスイッチハブ２には前記直流電圧を給電する直流重畳部を備えている。
【００５０】
(4) ：前記(1) 又は(2) のタグ識別装置において、ＲＦスイッチ４及びＲＦスイッチハブ２に、直流電圧を給電する電源バスを備えている。
【００５１】
(5) ：前記(1) 、(3) 、(4) のいずれかのタグ識別装置において、少なくとも一つのＲＦスイッチ４の後段に、複数の送受信アンテナ類ＡＴに対して切替中継するＲＦスイッチハブ２を接続した。
【００５２】
§２：アンテナ類接続構造の説明
図２はアンテナ類接続構成の説明図（その１）であり、Ａ図は構成例１、Ｂ図は構成例２を示す。また、図３はアンテナ類接続構成の説明図（その２）であり、Ａ図は構成例３、Ｂ図は構成例４を示す。また、図４はタイミングチャートであり、Ａ図は従来例のタイミングチャート（参考）、Ｂ図は例１のタイミングチャート、Ｃ図は例２のタイミングチャートである。
【００５３】
(1) ：構成例１（図２のＡ図参照）
図２のＡ図に示した構成例１は、タグ識別装置における基本的接続構成を示している。すなわち、図２のＡ図に示した構成例１は、Ｒ／Ｗ１に対する各アンテナ類接続構成をバス配線によりシリアル化した基本的な接続構成である。
【００５４】
この構成例１では、無線通信用高周波電力を給電ケーブルを介して給電する送受信部（ＲＦ送受信部）を有するＲ／Ｗ１と、Ｒ／Ｗ１に接続され、給電ケーブルからの無線通信用高周波電力を、接続された送受信アンテナ、漏洩同軸ケーブル、ストリップラインのいずれかで構成されたアンテナ類ＡＴ、又は外部に中継する複数のＲＦスイッチ（高周波切替部）４を備え、ＲＦスイッチ４のそれぞれが直列に接続されている。
【００５５】
この場合、Ｒ／Ｗ１にはＰＣ３が接続されており、このＰＣ３により主な制御や指令を与えるようになっている。また、アンテナ類ＡＴの近傍（アンテナ類ＡＴからの放射された電波が受信できる範囲）には、タグ（ＲＦＩＤタグ）６が設けてある。そして、ＰＣ３の指示に基づき、Ｒ／Ｗ１とタグ６は互いに通信可能に構成されている。この通信により、Ｒ／Ｗ１がタグと通信できたら、そのタグは、そのアンテナ（アンテナ類ＡＴ）が設置された位置（この位置は既知の位置である）にある、と判断される。
【００５６】
また、Ｒ／Ｗ１と初段のＲＦスイッチ４との間は同軸ケーブル１６及び直流給電ケーブル１７により接続されている。また、初段のＲＦスイッチ４と最終段のＲＦスイッチ４との間はそれぞれ同軸ケーブル１６及び直流電源バス１８により接続されている。更に、最終段ＲＦスイッチ４の後段には、ＲＦ終端抵抗１９が接続されている。この場合、Ｒ／Ｗ１によりＲＦスイッチ４を介してアンテナ類ＡＴを時分割駆動することで、アンテナ類を時分割で切替使用する。
【００５７】
(2) ：構成例２（図２のＢ図参照）
図２のＢ図に示した構成例２は、Ｒ／Ｗに対する各アンテナ類接続構成をスター配線＋バス配線の接続構成とした例である。この場合、Ｒ／Ｗ１に対する各配線はスター配線（従来例１参照）とし、該スター配線の各配線毎に、図２のＡ図に示した基本構成の配線（バス配線）が使われている。
【００５８】
この場合、スター配線の先端部には複数のＲＦスイッチ４を備え、ＲＦスイッチ４のそれぞれが直列に接続され、Ｒ／Ｗ１によりＲＦスイッチ４を介してアンテナ類ＡＴを時分割駆動することで、アンテナ類ＡＴを時分割で切替使用するように構成されている。
【００５９】
(3) ：構成例３（図３のＡ図参照）
図３のＡ図に示した構成例３は、スター配線＋スター配線の配線構成とした例である。この場合、Ｒ／Ｗ１に対する各配線はスター配線（従来例１参照）とし、各スター配線の先端部にはＲＦスイッチハブ（例えば、４ポート）２が設けてある。そして、前記各スター配線の先端部に設けたＲＦスイッチハブ２からは、再びスター配線構成となっている。
【００６０】
すなわち、構成例３では、Ｒ／Ｗ１は、無線通信用高周波電力を給電ケーブルを介して給電すると共に、Ｒ／Ｗ１に接続され、前記給電ケーブルからの無線通信用高周波電力を複数のアンテナ類ＡＴに対して切替中継するＲＦスイッチハブ２を備え、Ｒ／Ｗ１によりＲＦスイッチハブ２を介してアンテナ類ＡＴを時分割駆動することで、アンテナ類ＡＴを時分割で切替使用するように構成されている。
【００６１】
(4) ：構成例４（図３のＢ図参照）
図３のＢ図に示した構成例４は、スター配線＋スター／バス混在配線とした例である。この例では、前記構成例２と構成例３とを組み合わせた配線となっている。
【００６２】
この場合、構成例４では、少なくとも一つのＲＦスイッチ４の後段に、複数のアンテナ類ＡＴに対して切替中継するＲＦスイッチハブ２を接続する。また、ＲＦスイッチハブ２の後段に、アンテナ類ＡＴ又は外部に中継するＲＦスイッチ４を少なくとも一つ接続する。
【００６３】
(5) ：タイミングチャートの説明（図４参照）
図４はタイミングチャートであり、Ａ図は従来例１のタイミングチャートであり、本発明のタイミングチャートと比較するために図示してある（図１９のＢ図と実質的に同じ）。また、図４のＢ図はシリアル化例１のタイミングチャート、図４のＣ図はシリアル化例２のタイミングチャートである。
【００６４】
前記構成例１乃至構成例４では、Ｒ／Ｗ１はアンテナ類ＡＴと通信する場合、時分割駆動を行う。この場合、図４のＡ図に示した従来例１のタイミングチャートでは、Ｒ／Ｗ１のポート０→ポート１→ポート２→ポート３の順に図示した１、２、３、４の各出力信号を時分割で送出している。そして、このような時分割駆動を繰り返すことで、アンテナ類ＡＴを介してＲ／Ｗ１とタグとが通信を行う。
【００６５】
これに対して本発明では図４のＢ図、Ｃ図のような時分割駆動を行う。例えば、図４のＢ図のタイミングチャートでは、先ず、Ｒ／Ｗ１のポート０ｓに１、２、３、４で示した各出力信号（送信波信号）を連続して送出し、次のタイミングでポート１ｓに５、６、７、８で示した各出力信号（送信波信号）を連続して送出し、次のタイミングでポート２ｓに９、１０、１１、１２で示した各出力信号（送信波信号）を連続して送出し、次のタイミングでポート３ｓに１３、１４、１５、１６で示した各出力信号（送信波信号）を連続して送出する。そして、以降、このような時分割駆動を繰り返して行う。
【００６６】
また、図４のＣ図のタイミングチャートでは、Ｒ／Ｗ１のポート０ｓ→ポート１ｓ→ポート２ｓ→ポート３ｓの順に図示した１、２、３、４の各出力信号を時分割で送出する。次のタイミングでは、Ｒ／Ｗ１のポート０ｓ→ポート１ｓ→ポート２ｓ→ポート３ｓの順に図示した５、６、７、８の各出力信号を時分割で送出する。次のタイミングでは、Ｒ／Ｗ１のポート０ｓ→ポート１ｓ→ポート２ｓ→ポート３ｓの順に図示した９、１０、１１、１２の各出力信号を時分割で送出する。次のタイミングでは、Ｒ／Ｗ１のポート０ｓ→ポート１ｓ→ポート２ｓ→ポート３ｓの順に図示した１３、１４、１５、１６の各出力信号を時分割で送出する。そして、以降、このような時分割駆動を繰り返して行う。
【００６７】
§３：Ｒ／Ｗ、ＲＦスイッチハブ、ＲＦスイッチの説明
図５はＲ／Ｗ、ＲＦスイッチハブ、ＲＦスイッチの説明図である。以下、図５に基づいて、Ｒ／Ｗ、ＲＦスイッチハブ、ＲＦスイッチを詳細に説明する。
【００６８】
(1) ：Ｒ／Ｗ（リーダ／ライタ）の説明
Ｒ／Ｗ（リーダ／ライタ）１には、アンテナ類ＡＴとの通信を行う際の送受信処理等を行うＲＦ送受信部１１と、送信出力に直流電圧を重畳する直流重畳部１２と、前記重畳する直流電圧を給電する直流給電部１３等が設けてある。そして、ＲＦ送受信部１１には、アンテナ切替制御を行うためのアンテナ切替制御部５２が設けてあり、直流重畳部１２には、コイルＬ１、コンデンサＣ１及び貫通コンデンサＣ２が設けてある。
【００６９】
Ｒ／Ｗ１は、タグと通信する際、ＲＦ送受信部１１から送信信号を出力する。この時、直流給電部１３から直流電圧（直流電力）を出力し、この直流電圧（直流電力）を直流重畳部１２により前記高周波の送信出力に重畳してから外部へ出力する。
【００７０】
(2) ：ＲＦスイッチハブの説明
ＲＦスイッチハブ２には、受信したＲ／Ｗ１からの信号（直流分を重畳した高周波電力）から直流分を分離する直流分離部２１と、前記分離した直流分を受電する直流受電部２２と、カプラ２３、２６と、疑似ＲＦＩＤ２４と、電力レベル検出部２９と、ＳＷ制御部（スイッチ制御部）３０と、パワースイッチ（ＰＳＷ）３１と、ＲＦ切替部２７と、ＲＦスイッチハブ２から次段の装置へ出力する信号に直流電圧を重畳する直流重畳部２８と、次段の装置（例えば、ＲＦスイッチ４）へ接続するための複数のハブを有するＨＵＢと、終端抵抗１９等が設けてある。
【００７１】
また、直流分離部２１には、コイルＬ２、コンデンサＣ３及び貫通コンデンサＣ４が設けてある。また、電力レベル検出部２９は、ＲＦ切替部２７の入力側線路の電力レベルを検出してＳＷ制御部３０へ出力するものである。また、アンプ（ＬＮＡ）２５はカプラ２３、２６の間で信号の増幅を行うものである。
【００７２】
ＲＦスイッチハブ２では、Ｒ／Ｗ１からの出力を受信すると、直流分離部２１で受信電力から直流分を分離し、直流受電部２２が前記分離した直流電力を受電する。一方、受信した受信信号から直流分を分離した信号は、カプラ２３、アンプ（ＬＮＡ）２５、カプラ２６を介してＲＦ切替部２７へ送られ、ＲＦ切替部２７の選択されたスイッチを介して直流重畳部２８へ出力し、更に直流重畳部２８で再び直流分を重畳しハブＨＵＢから次段へ出力する。
【００７３】
また、ＳＷ制御部３０は、疑似ＲＦＩＤ２４との間で情報交換をすることでＲＦ切替部２７の切替制御を行い、ハブＨＵＢから次段へ送信する信号を選択する。この場合、疑似ＲＦＩＤ２４はアンテナ類ＡＴを持たないＲＦＩＤとほぼ同じ機能を備えたもので、ＲＦスイッチハブ２が受信した受信信号（直流分を分離した信号）を受けとることができるようになっており、ＳＷ制御部３０へ制御情報を渡すものである。
【００７４】
また、ＳＷ制御部３０では、電力レベル検出部２９が検出した電力レベルの情報を受け取り、アンプ２５のゲイン調整等を行う。また、ＰＳＷ３１は、ＳＷ制御部３０からの制御信号を受け取り、直流受電部２２からの直流電圧（直流電力）を直流重畳部４８へ送り、直流重畳部２８によりＲＦスイッチハブ２からの出力信号に直流電圧（直流電力）を重畳して出力するようになっている。
【００７５】
(3) ：ＲＦスイッチの説明
ＲＦスイッチ４には、直流分離部４１と、ＲＦ切替部４２と、直流受電部４３と、疑似ＲＦＩＤ４４と、ＳＷ制御部４６と、パワースイッチ（ＰＳＷ）４７と、直流重畳部４８と、終端抵抗１９等が設けてある。また、直流分離部４１には、コイルＬ２、コンデンサＣ３及び貫通コンデンサＣ４が設けてあり、直流重畳部４８には、コイルＬ１、コンデンサＣ１及び貫通コンデンサＣ２が設けてある。
【００７６】
ＲＦスイッチ４では、Ｒ／Ｗ１からの出力を受信すると、直流分離部４１で受信電力から直流分を分離し、直流受電部４３が前記分離した直流電力を受電する。一方、受信した受信信号から直流分を分離した信号はＲＦ切替部４２へ送られ、選択されたスイッチを介して出力し、更に直流重畳部４８で再び直流分を重畳し次段へ出力する。
【００７７】
また、ＳＷ制御部４６は、疑似ＲＦＩＤ４４との間で情報交換をすることでＲＦ切替部４２の切替制御を行い、次段へ送信する信号を選択する。なお、疑似ＲＦＩＤ４４は前記疑似ＲＦＩＤ２４と同じ構造のものである。
【００７８】
§４：Ｒ／Ｗ−アンテナ類間の接続構成例の詳細な説明
以下、図６乃至図１７に基づいて、Ｒ／Ｗ−アンテナ類間のバス接続構成例を詳細に説明する。
【００７９】
(1) ：構成例１（図６、図７参照）
図６、図７はＲ／Ｗとアンテナ類とのバス接続構成例（その１）であり、図６のＡ図ははシステムブロック図、Ｂ図は動作タイミング例である。また、図７のＡ図はバス関連ブロック図である。
【００８０】
Ａ：システムブロック図の説明
図６のＡ図に示したシステムブロック図では、ＰＣ３にＲ／Ｗ１が接続されると共に、Ｒ／Ｗ１に対し、複数のＲＦスイッチ４（図の「ＳＷ」）がバス（同軸ケーブル１６）により直列に接続され、最終段のＲＦスイッチ４の後段には終端抵抗（ＴＲＭ）１９が接続されている。また、前記各ＲＦスイッチ４にはそれぞれアンテナ類（送受信アンテナ、漏洩同軸ケーブル、ストリップラインのいずれか）ＡＴが接続され、該アンテナ類ＡＴの近傍にはそれぞれタグ６が設けてある。
【００８１】
Ｂ：バス関連ブロック図の説明
図７のＡ図に示したバス関連ブロック図に示したように、Ｒ／Ｗ１には、ＲＦ送受信部１１と、直流給電部１３と、ＳＷ制御部１４と、直流重畳部１２が設けてある。また、各ＲＦスイッチ４には、それぞれ、直流分離部４１と、ＲＦ切替部４２と、直流受電部４３と、ＳＷ制御部４６と、直流重畳部４８等が設けてある。
【００８２】
Ｃ：システム構成の特徴
前記システム構成の特徴は次の通りである。
【００８３】
１．同軸ケーブル１６は、ＲＦ信号、ＳＷ制御信号、直流信号を伝送するので、配線が容易である。
【００８４】
２．ＲＦスイッチ４のＲＦ切替部４２が、重畳直流に問題がなければ、最も容易に実現できる（図７はＲＦのみ切替えることを想定したブロック図である）。
【００８５】
３．ＰＣ３は、選択したアンテナ類ＡＴ毎に給電電力を替えることができる。
【００８６】
Ｄ：動作概要
１．Ｒ／Ｗ１がタグの読み書きをする前に、アンテナ類ＡＴの選択信号を出すようにＰＣ３が制御を行う（順番は任意）。なお、Ｒ／Ｗ１とタグ６との通信を行う場合は、先ず、Ｒ／Ｗ１から出力信号を出し、この信号をタグが受信すると、そのタグは受電した際の電力を利用しＲ／Ｗ１へ向けて返信を行う。この返信信号をＲ／Ｗ１が受信すると、Ｒ／Ｗ１は前記タグの位置を認識する。
【００８７】
２．各ＲＦスイッチ４がそのアンテナ類選択信号を受けて、自アンテナ類ＡＴの場合にスイッチをアンテナ類ＡＴ側に切り替える。
【００８８】
３ａ：以後、ＰＣ３は、指定したアンテナ類ＡＴを意識した必要な通信と処理を行う。      
【００８９】
４ａ：別のアンテナ類ＡＴに切り替える場合は、ＰＣ３は選択中のアンテナ類ＡＴを一旦解放する（全アンテナ類ＡＴが切り離された状態にする）。
【００９０】
３ｂ：指定したアンテナ類ＡＴが接続された後、ＰＣ３は、一定時間そのアンテナ類ＡＴを使用できる（一定時間後、自動的に切り離される）。
【００９１】
４ｂ：別のアンテナ類ＡＴに切り替える場合は、ＰＣ３は、新たに選択するだけで良い（一定時間後は、全アンテナ類ＡＴが切り離された状態になる）。
【００９２】
動作タイミング例としては、例えば、図６のＢ図のようになる。図６のＢ図において、ＴＯ、Ｔ１、Ｔ２、Ｔ３はそれぞれＲ／Ｗ１が時分割駆動を行なった場合の各タイミング例である。
【００９３】
例えば、複数のＲＦスイッチ４がＲ／Ｗ１側からＲＦスイッチ４−１、４−２、４−３、４−４の順に直列接続され、それらの各ＲＦスイッチ４によって切替接続されるアンテナ類ＡＴが、Ｒ／Ｗ１側からＡＴ１、ＡＴ２、ＡＴ３、ＡＴ４のように並んでいたとする。
【００９４】
この場合、最初のタイミングＴ０ではアンテナ類ＡＴ１が駆動され、次のタイミングＴ１ではアンテナ類ＡＴ２が駆動され、次のタイミングＴ２ではアンテナ類ＡＴ３が駆動され、次のタイミングＴ３ではアンテナ類ＡＴ４が駆動されるように、順次アンテナ類ＡＴを時分割駆動する。
【００９５】
(2) ：構成例２（図８、図９参照）
図８、図９はＲ／Ｗとアンテナ類とのバス接続構成例（その２）であり、図８のＡ図はシステムブロック図、Ｂ図は動作タイミング図である。また、図９のＡ図はバス関連ブロック図である。
【００９６】
Ａ：システムブロック図の説明
図８のＡ図に示したシステムブロック図では、ＰＣ３にＲ／Ｗ１が接続されると共に、Ｒ／Ｗ１に対し、複数のＲＦスイッチ４（ＳＷ）がバス（同軸ケーブル１６）により直列に接続され、最終段のＲＦスイッチ４の後段には終端抵抗（ＴＲＭ）１９が接続されている。
【００９７】
また、Ｒ／Ｗ１と初段のＲＦスイッチ４との間は直流給電ケーブル１７で接続され、初段のＲＦスイッチ４と最終段のＲＦスイッチ４との間の各ＲＦスイッチ４間はそれぞれ直流電源バス１８で接続されると共に、制御ケーブル３２で接続されている。また、最終段のＲＦスイッチ４の後段には終端抵抗（ＴＲＭ）１９で接続されている。更に、各ＲＦスイッチ４に接続されたアンテナ類ＡＴの近傍（電波で通信可能な範囲）には、それぞれ参照用タグ３３（Ａ、Ｂ、Ｃ、Ｄ）が設けてある。例えば、参照用タグ３３は、該当するアンテナ類ＡＴに取り付けておく。
【００９８】
Ｂ：バス関連ブロック図の説明
図９のＡ図に示したバス関連ブロック図に示したように、Ｒ／Ｗ１には、ＲＦ送受信部１１と、直流給電部１３と、ＡＬＭ検出部４９等（その他は、図５と同じ）が設けてある。
【００９９】
また、図９のＡ図に示したバス関連ブロック図に示したように、Ｒ／Ｗ１に対し、直列接続された各ＲＦスイッチ４には、それぞれ、トリガスイッチ（跳ね返り型スイッチ）５１と、親／子設定スイッチ（モード設定用のスイッチ）５４と、論理ゲート５５と、ワンショット回路（単安定マルチバイブレータ回路）５６と、ＮＯＴ回路５７と、ラッチ回路（例えば、フリップフロップ回路）５８と、状態表示ランプ６０等が設けてある。また、最終段のＲＦスイッチ４の後段には、終端抵抗１９と、短絡回路６１が設けてある。更に、ＲＦスイッチ４の外側には直流電源部２０等が設けてある。
【０１００】
Ｃ：システム構成の特徴
前記システム構成の特徴は次の通りである。
【０１０１】
１．既存のＲ／Ｗ１との組み合わせが可能である（アンテナ類ＡＴの切り替えをアンテナ類ＡＴ同士が連携して行う）。
【０１０２】
２．各アンテナ類ＡＴ切り替えの電源供給は、ローカル／センタどちらでも良い（センタ給電の場合、Ｒ／Ｗ１は給電機能付きとする）。
【０１０３】
３．アンテナ類ＡＴの位置は、参照用タグ３３を読み出して判断する（アプリケーションプログラムによる処理）。
【０１０４】
４．アンテナ類ＡＴとして、ストリップライン（終端付き）の接続も可能である。
【０１０５】
Ｄ：動作概要
１．Ｒ／Ｗ１又はＡＣアダプタ（直流電源部２０）などから直流電源バス１８に給電する。
【０１０６】
２．Ｒ／Ｗ１に最も近いＲＦスイッチ４を親に設定し、トリガスイッチ５１を押す。
【０１０７】
３．親ＲＦスイッチ４は所定時間アンテナ類ＡＴを接続後、次段のＲＦスイッチ４にトリガ信号を送る（実際は後段のＲＦスイッチ４が前段のアンテナ類ＡＴを選択）。
【０１０８】
４．トリガを受け取った子（子ＲＦスイッチ４）は、所定時間アンテナ類ＡＴを接続後、更に次段の子ＲＦスイッチ４にトリガをリレーする。
【０１０９】
５．最終段の子ＲＦスイッチ４は、親ＲＦスイッチ４にトリガを返すことで一巡する（３、４、５を繰り返す）。
【０１１０】
６．ＰＣ３は、参照用タグ３３からアンテナ類ＡＴの位置を知る（代わりにアンテナ類ＡＴの切替処理は不要）。
【０１１１】
状態表示ランプ６０は、例えば、正常時、早い点滅（デューティ：１／ＳＷ数）、異常時、減灯又は点灯）。
【０１１２】
例えば、図９のＡ図に示した装置では次のように動作する。先ず、Ｒ／Ｗ１に最も近いＲＦスイッチ４において、人手によりトリガスイッチ５１がオンになると、論理ゲート５５の出力が０になり、ワンショット回路５６が一定時間反転動作を行う。その結果、ＲＦ切替部４２のスイッチが切り替わり、初段のＲＦスイッチ４に接続されたアンテナ類ＡＴから電波が送信され、該アンテナ類ＡＴに取り付けた参照用タグ３３とＲ／Ｗ１との間で通信が行なわれ、Ｒ／Ｗ１がアンテナ類ＡＴ及び参照用タグ３３の位置を知ることができる。
【０１１３】
動作タイミング例としては、例えば、図８のＢ図のようになる。図８のＢ図において、ＴＯ、Ｔ１、Ｔ２、Ｔ３はそれぞれＲ／Ｗ１が時分割駆動を行なった場合の各タイミング例である。
【０１１４】
例えば、複数のＲＦスイッチ４がＲ／Ｗ１側からＲＦスイッチ４−１、４−２、４−３、４−４の順に直列接続され、それらの各ＲＦスイッチ４によって切替接続されるアンテナ類ＡＴが、Ｒ／Ｗ１側からＡＴ１、ＡＴ２、ＡＴ３、ＡＴ４のように並んでいたとする。
【０１１５】
この場合、最初のタイミングＴ０ではアンテナ類ＡＴ１が駆動され、次のタイミングＴ１ではアンテナ類ＡＴ２が駆動され、次のタイミングＴ２ではアンテナ類ＡＴ３が駆動され、次のタイミングＴ３ではアンテナ類ＡＴ４が駆動されるように、順次アンテナ類ＡＴを時分割駆動する。
【０１１６】
(3) ：構成例３（図１０、図１１参照）
図１０、図１１はＲ／Ｗとアンテナ類とのバス接続構成例（その３）であり、図１０のＡ図はシステムブロック図、Ｂ図は動作タイミング図である。また、図１１のＡ図はバス関連ブロック図である。
【０１１７】
構成例３は構成例２における参照用タグ３３の設置位置を変更した例であり、他の構成は構成例２と同じである。すなわち、構成例２では参照用タグ３３はＲＦスイッチ４の外側に設置していたが、構成例３ではＲＦスイッチ４に参照用タグ３３を内蔵している。
【０１１８】
Ａ：システムブロック図の説明
図１０のＡ図に示したシステムブロック図では、ＰＣ３にＲ／Ｗ１が接続されると共に、Ｒ／Ｗ１に対し、複数のＲＦスイッチ４がバス（同軸ケーブル１６）により直列に接続され、最終段のＲＦスイッチ４の後段には終端抵抗（ＴＲＭ）１９が接続されている。
【０１１９】
また、Ｒ／Ｗ１と初段のＲＦスイッチ４との間は直流給電ケーブル１７で接続され、初段のＲＦスイッチ４と最終段のＲＦスイッチ４との間は直流電源バス１８で接続されると共に、制御ケーブル３２で接続されている。
【０１２０】
Ｂ：バス関連ブロック図の説明
図１１のＡ図に示したバス関連ブロック図に示したように、Ｒ／Ｗ１には、ＲＦ送受信部１１と、直流給電部１３と、ＡＬＭ検出部４９等（その他は、図５と同じ）が設けてある。
【０１２１】
また、Ｒ／Ｗ１に対し、直列接続された各ＲＦスイッチ４には、それぞれ、トリガスイッチ（跳ね返り型スイッチ）５１と、親／子設定スイッチ（モード設定用のスイッチ）５４と、論理ゲート５５と、ワンショット回路（単安定マルチバイブレータ回路）５６と、ＮＯＴ回路５７と、ラッチ回路（例えば、フリップフロップ回路）５８と、状態表示ランプ６０等が設けてある。また、最終段の後段には、終端抵抗１９と、短絡回路６１が設けてある。
【０１２２】
また、前記各ＲＦスイッチ４には、ストリップライン又は漏洩同軸ケーブル６２と、その近傍に取り付けられた参照用タグ３３が内蔵されている。更に、ＲＦスイッチ４の外側には、ＡＣアダプタ等の直流電源部２０が設けてあり、この直流電源部２０からＲＦスイッチ４の内部へ直流電力を供給している。なお、それ以外の構成は図９と同じである。  Ｃ：システム構成の特徴
前記システム構成の特徴は次の通りである。
【０１２３】
１．既存のＲ／Ｗ１との組み合わせが可能である（アンテナ類ＡＴの切り替えをアンテナ類ＡＴ同士が連携して行う）。
【０１２４】
２．各アンテナ類ＡＴ切り替えの電源供給は、ローカル／センタどちらでも良い（センタ給電の場合、Ｒ／Ｗ１は給電機能付きとする）。
【０１２５】
３．アンテナ類ＡＴの位置は、参照用タグ３３を読み出して判断する（アプリケーションプログラムによる処理）。
【０１２６】
Ｄ：動作概要
１．Ｒ／Ｗ１又はＡＣアダプタ（直流電源部２０）などから直流電源バス１８に給電する。
【０１２７】
２．Ｒ／Ｗ１に最も近いＲＦスイッチ４を親に設定し、トリガスイッチ５１を押す。
【０１２８】
３．親ＲＦスイッチ４は所定時間アンテナ類ＡＴを接続後、次段のＲＦスイッチ４にトリガ信号を送る（実際は後段のＲＦスイッチ４が前段のアンテナ類ＡＴを選択）。
【０１２９】
４．トリガを受け取った子は、所定時間アンテナ類ＡＴを接続後、更に次段の子ＲＦスイッチ４にトリガをリレーする。
【０１３０】
５．最終段の子ＲＦスイッチ４は、親ＲＦスイッチ４にトリガを返すことで一巡する（３、４、５を繰り返す）。
【０１３１】
６．ＰＣ３は、参照用タグ３３からアンテナ類ＡＴの位置を知る（代わりにアンテナ類ＡＴの切替処理は不要）。
【０１３２】
状態表示ランプ６０は、例えば、正常時、早い点滅（デューティ：１／ＳＷ数）、異常時、減灯又は点灯）。
【０１３３】
動作タイミング例としては、例えば、図１０のＢ図のようになる。図１０のＢ図において、ＴＯ、Ｔ１、Ｔ２、Ｔ３はそれぞれＲ／Ｗ１が時分割駆動を行なった場合の各タイミング例である。
【０１３４】
例えば、複数のＲＦスイッチ４がＲ／Ｗ１側からＲＦスイッチ４−１、４−２、４−３、４−４の順に直列接続され、それらの各ＲＦスイッチ４によって切替接続されるアンテナ類ＡＴが、Ｒ／Ｗ１側からＡＴ１、ＡＴ２、ＡＴ３、ＡＴ４のように並んでいたとする。
【０１３５】
この場合、最初のタイミングＴ０ではアンテナ類ＡＴ１が駆動され、次のタイミングＴ１ではアンテナ類ＡＴ２が駆動され、次のタイミングＴ２ではアンテナ類ＡＴ３が駆動され、次のタイミングＴ３ではアンテナ類ＡＴ４が駆動されるように、順次アンテナ類ＡＴを時分割駆動する。
【０１３６】
(4) ：構成例４（図１２、図１３参照）
図１２、図１３はＲ／Ｗとアンテナ類とのバス接続構成例（その４）であり、図１２のＡ図はシステムブロック図、Ｂ図は動作タイミング図である。また、図１３のＡ図はバス関連ブロック図である。
【０１３７】
Ａ：システムブロック図の説明
図１２のＡ図に示したシステムブロック図では、ＰＣ３にＲ／Ｗ１が接続されると共に、Ｒ／Ｗ１に対し、複数のＲＦスイッチ４がバス（同軸ケーブル１６）により直列に接続され、最終段のＲＦスイッチ４の後段には終端抵抗（ＴＲＭ）１９が接続されている。
【０１３８】
また、Ｒ／Ｗ１と初段のＲＦスイッチ４との間は直流給電ケーブル１７で接続され、初段のＲＦスイッチ４と最終段のＲＦスイッチ４との間は直流電源バス１８で接続されている。
【０１３９】
Ｂ：バス関連ブロック図の説明
図１３のＡ図に示したバス関連ブロック図に示したように、Ｒ／Ｗ１には、ＲＦ送受信部１１と、直流給電部１３等が設けてある。また、各ＲＦスイッチ４には、それぞれ、ＲＦ切替部４２と、ＳＷ制御部４６と、ストリップライン３５と、制御用タグ３４等が設けてある。また、初段のＲＦスイッチ４には、外部のＡＣプラグに接続された直流電源部２０が接続され、外部からも直流電源が供給されている。そして、前記直流電源は２段目以降の各ＲＦスイッチ４にも供給されている。
【０１４０】
Ｃ：システム構成の特徴
前記システム構成の特徴は次の通りである。
【０１４１】
１．ＲＦスイッチ（ＳＷ）４内に出力端子付きの制御用タグ３４を設置（アンテナ類ＡＴの切り替えコマンドを受信するため）。
【０１４２】
２．制御用タグ３４は、ＲＦスイッチ（ＳＷ）４内のストリップライン３５を通してＲ／Ｗ１と通信する（切替命令を受けてＳＷ制御部４６へそれを出力する）。
【０１４３】
３．アンテナ類ＡＴの選択（位置）は、ＰＣ３が指定する（アプリケーションプログラムによる処理）。
【０１４４】
４．ＰＣ３は、選択したアンテナ類ＡＴ等に給電電力を変えることができる。
【０１４５】
５．給電は、センタ、ローカルの他、個別にバッテリ（電池）を持たせても良い。
【０１４６】
なお、アンテナ類ＡＴの代わりに、ストリップラインセル（終端付）の接続も可能である。
【０１４７】
Ｄ：動作概要
１．ＰＣ３は、タグの読み書きをする前に、制御用タグ３４（ＩＤ指定）にアンテナ類ＡＴ選択コマンドを送る。
【０１４８】
２．制御用タグ３４は、選択されると、ＳＷ制御部４６に選択信号を出力する。
【０１４９】
３．ＰＣ３は、その制御用タグ３４から情報を読み出し、アンテナ類ＡＴの切り替わり完了を知ることができる。
【０１５０】
４．以後、ＰＣ３は、指定したアンテナ類ＡＴを意識した必要な通信と処理を行う。
【０１５１】
５．別のアンテナ類ＡＴに切り替える場合は、ＰＣ３は、選択中のアンテナ類ＡＴを一旦解放する（全アンテナ類ＡＴを解放された状態にする）。
【０１５２】
６．全てのアンテナ類ＡＴが切り離されていることを確認するには、全ＩＤ取得することで判断できる（全ての制御用タグが応答する）。
【０１５３】
動作タイミング例としては、例えば、図１２のＢ図のようになる。図１２のＢ図において、ＴＯ、Ｔ１、Ｔ２、Ｔ３はそれぞれＲ／Ｗ１が時分割駆動を行なった場合の各タイミング例である。
【０１５４】
例えば、複数のＲＦスイッチ４がＲ／Ｗ１側からＲＦスイッチ４−１、４−２、４−３、４−４の順に直列接続され、それらの各ＲＦスイッチ４によって切替接続されるアンテナ類ＡＴが、Ｒ／Ｗ１側からＡＴ１、ＡＴ２、ＡＴ３、ＡＴ４のように並んでいたとする。
【０１５５】
この場合、最初のタイミングＴ０ではアンテナ類ＡＴ１が駆動され、次のタイミングＴ１ではアンテナ類ＡＴ２が駆動され、次のタイミングＴ２ではアンテナ類ＡＴ３が駆動され、次のタイミングＴ３ではアンテナ類ＡＴ４が駆動されるように、順次アンテナ類ＡＴを時分割駆動する。
【０１５６】
(5) ：構成例５（図１４、図１５参照）
図１４、図１５はＲ／Ｗとアンテナ類とのバス接続構成例（その５）であり、図１４のＡ図はシステムブロック図、Ｂ図は動作タイミング図である。また、図１５のＡ図はバス関連ブロック図である。
【０１５７】
Ａ：システムブロック図の説明
図１４のＡ図に示したシステムブロック図では、ＰＣ３にＲ／Ｗ１が接続されると共に、Ｒ／Ｗ１に対し、複数のＲＦスイッチ４がバス（同軸ケーブル１６）により直列に接続され、最終段のＲＦスイッチ４の後段には終端抵抗（ＴＲＭ）１９が接続されている。
【０１５８】
また、Ｒ／Ｗ１と初段のＲＦスイッチ４との間は直流給電ケーブル１７で接続され、初段のＲＦスイッチ４と最終段のＲＦスイッチ４との間は直流電源バス１８で接続されている。
【０１５９】
Ｂ：バス関連ブロック図の説明
図１５のＡ図に示したバス関連ブロック図に示したように、Ｒ／Ｗ１には、ＲＦ送受信部１１と、直流給電部１３等が設けてある。また、各ＲＦスイッチ４には、それぞれ、ＲＦ切替部４２と、ＳＷ制御部４６と、ストリップライン３５と、制御用タグ３４等が設けてある。なお、その他の構成は図１３と同じである。
【０１６０】
Ｃ：システム構成の特徴
前記システム構成の特徴は次の通りである。
【０１６１】
前記（その３）との違いは、制御用タグ３４がストリップライン３５で結合され、ＲＦ切替部４２の後にあることである。この場合、ストリップライン３５は伝送ロスが少ない。
【０１６２】
１．ＲＦスイッチ（ＳＷ）４内に出力端子付きの制御用タグ３４を設置（アンテナ類ＡＴの切り替えコマンドを受信するため）。
【０１６３】
２．制御用タグ３４は、ＲＦスイッチ（ＳＷ）４内のストリップライン３５を通してＲ／Ｗ１と通信する（切替命令を受けてＳＷ制御部４６へそれを出力する）。
【０１６４】
３．アンテナ類ＡＴの選択（位置）は、ＰＣ３が指定する（アプリケーションプログラムによる処理）。
【０１６５】
４．ＰＣ３は、選択したアンテナ類ＡＴ等に給電電力を変えることができる。
【０１６６】
５．給電は、センタ、ローカルの他、個別にバッテリ（電池）を持たせても良い。
【０１６７】
なお、アンテナ類ＡＴの代わりに、ストリップラインセル（終端付）の接続も可能である。
【０１６８】
Ｄ：動作概要
１．ＰＣ３は、ＲＦスイッチ４の外側に設けたタグ６の読み書きをする前に、制御用タグ３４（ＩＤ指定）にアンテナ類ＡＴ選択コマンドを送る。
【０１６９】
２．選択された制御用タグ３４は、ＲＦスイッチ制御部４６に選択信号を出力する（アンテナ類ＡＴが選択されると制御用タグ３４も切り離される）。
【０１７０】
３．指定したアンテナ類ＡＴが選択された後、ＰＣ３は、一定時間そのアンテナ類ＡＴを使用する（一定時間後、自動的に切り離される）。
【０１７１】
５．別のアンテナ類ＡＴに切り替える場合は、ＰＣ３は、新たに選択するだけでよい（一定時間後は、全アンテナ類ＡＴが切り離された状態になる）。
【０１７２】
６．全てのアンテナ類ＡＴが切り離されていることを確認するには、全ＩＤを取得することで判断できる（全ての制御用タグ３４が応答する）。
【０１７３】
動作タイミング例としては、例えば、図１４のＢ図のようになる。図１４のＢ図において、ＴＯ、Ｔ１、Ｔ２、Ｔ３はそれぞれＲ／Ｗ１が時分割駆動を行なった場合の各タイミング例である。
【０１７４】
例えば、複数のＲＦスイッチ４がＲ／Ｗ１側からＲＦスイッチ４−１、４−２、４−３、４−４の順に直列接続され、それらの各ＲＦスイッチ４によって切替接続されるアンテナ類ＡＴが、Ｒ／Ｗ１側からＡＴ１、ＡＴ２、ＡＴ３、ＡＴ４のように並んでいたとする。
【０１７５】
この場合、最初のタイミングＴ０ではアンテナ類ＡＴ１が駆動され、次のタイミングＴ１ではアンテナ類ＡＴ２が駆動され、次のタイミングＴ２ではアンテナ類ＡＴ３が駆動され、次のタイミングＴ３ではアンテナ類ＡＴ４が駆動されるように、順次アンテナ類ＡＴを時分割駆動する。
【０１７６】
(6) ：構成例６（図１６、図１７参照）
図１６、図１７はＲ／Ｗとアンテナ類とのバス接続構成例（その６）であり、図１６のＡ図はシステムブロック図、Ｂ図は動作タイミング図である。また、図１７のＡ図はバス関連ブロック図である。
【０１７７】
Ａ：システムブロック図の説明
図１６のＡ図に示したシステムブロック図では、ＰＣ３にＲ／Ｗ１が接続されると共に、Ｒ／Ｗ１に対し、複数のＲＦスイッチ４がバス（同軸ケーブル１６）により直列に接続され、最終段のＲＦスイッチ４の後段には終端抵抗（ＴＲＭ）１９が接続されている。
【０１７８】
また、Ｒ／Ｗ１と初段のＲＦスイッチ４との間は直流給電ケーブル１７で接続され、初段のＲＦスイッチ４と最終段のＲＦスイッチ４との間は直流電源バス１８で接続されている。
【０１７９】
Ｂ：バス関連ブロック図の説明
図１７のＡ図に示したバス関連ブロック図に示したように、Ｒ／Ｗ１には、ＲＦ送受信部１１と、直流給電部１３等が設けてある。また、各ＲＦスイッチ４には、それぞれ、ＲＦ切替部４２と、ＳＷ制御部４６と、分配器３７と、減衰器（ＡＴＴ）３６と、制御用タグＩＣ３８と等が設けてある。
【０１８０】
Ｃ：システム構成の特徴
前記システム構成の特徴は次の通りである。
【０１８１】
前記（その４、５）との違いは、制御用タグＩＣ３８が分配器３７に接続されることである。この場合、分配器３７は伝送ロスは多いが、小型で簡単確実である。
【０１８２】
１．ＲＦスイッチ（ＳＷ）４内に出力端子付きの制御用タグＩＣ３８を設置（アンテナ類ＡＴの切り替えコマンドを受信するため）。
【０１８３】
２．制御用タグＩＣ３８は、分配器３７を通してＲ／Ｗ１と通信する（切替命令を受けてＳＷ制御部４６へそれを出力する）。
【０１８４】
３．アンテナ類ＡＴの選択（位置）は、ＰＣ３が指定する（アプリケーションプログラムによる処理）。
【０１８５】
４．ＰＣ３は、選択したアンテナ類ＡＴ等に給電電力を変えることができる。
【０１８６】
５．給電は、センタ、ローカルの他、個別にバッテリ（電池）を持たせても良い。
【０１８７】
なお、アンテナ類ＡＴの代わりに、ストリップラインセル（終端付）の接続も可能である。
【０１８８】
Ｄ：動作概要
１．ＰＣ３は、タグの読み書きをする前に、制御用タグＩＣ３８（ＩＤ指定）にアンテナ類ＡＴ選択コマンドを送る。
【０１８９】
２．選択された制御用タグＩＣ３８は、ＲＦスイッチ制御部に選択信号を出力する（アンテナ類ＡＴが選択されると制御用タグＩＣ３８も切り離される）。
【０１９０】
３．指定したアンテナ類ＡＴが選択された後、ＰＣ３は、一定時間そのアンテナ類ＡＴを使用する（一定時間後、自動的に切り離される）。
【０１９１】
５．別のアンテナ類ＡＴに切り替える場合は、ＰＣ３は、新たに選択するだけでよい（一定時間後は、全アンテナ類ＡＴが切り離された状態になる）。
【０１９２】
６．全てのアンテナ類ＡＴが切り離されていることを確認するには、全ＩＤ取得することで判断できる（全ての制御用タグが応答する）。
【０１９３】
動作タイミング例としては、例えば、図１６のＢ図のようになる。図１６のＢ図において、ＴＯ、Ｔ１、Ｔ２、Ｔ３はそれぞれＲ／Ｗ１が時分割駆動を行なった場合の各タイミング例である。
【０１９４】
例えば、複数のＲＦスイッチ４がＲ／Ｗ１側からＲＦスイッチ４−１、４−２、４−３、４−４の順に直列接続され、それらの各ＲＦスイッチ４によって切替接続されるアンテナ類ＡＴが、Ｒ／Ｗ１側からＡＴ１、ＡＴ２、ＡＴ３、ＡＴ４のように並んでいたとする。
【０１９５】
この場合、最初のタイミングＴ０ではアンテナ類ＡＴ１が駆動され、次のタイミングＴ１ではアンテナ類ＡＴ２が駆動され、次のタイミングＴ２ではアンテナ類ＡＴ３が駆動され、次のタイミングＴ３ではアンテナ類ＡＴ４が駆動されるように、順次アンテナ類ＡＴを時分割駆動する。
【０１９６】
§５：応用例の説明
図１８は応用例であり、Ａ図は例１、Ｂ図は例２、Ｃ図は例３、Ｄ図は例４、Ｅ図は例５を示す。以下、図１８に基づいて本発明の応用例を説明する。
【０１９７】
Ａ：例１の説明（図１８のＡ図参照）
例１は、センタ給電方式の例であり、本発明のタグ識別装置を書棚の管理用として用いた例である。この場合、ＰＣ３にＲ／Ｗ１を接続し、該Ｒ／Ｗ１にＲＦスイッチハブ（ＨＵＢ）２を接続し、該ＲＦスイッチハブ（ＨＵＢ）２のハブから多数のアンテナ類ＡＴを接続（スター配線）している。
【０１９８】
この場合、図示点線で示した部分は書棚６４を示しており、書棚６４の上下方向の各棚にはそれぞれアンテナ類ＡＴの内、漏洩同軸ケーブル又はストリップラインを水平方向に所定間隔で設置している。そして、アンテナ類ＡＴの終端には終端抵抗１９を接続している。
【０１９９】
使用時には、ＰＣ３から指示を出し、Ｒ／Ｗ１からＲＦスイッチハブ２を介して高周波出力信号を送信し、この信号を受けてアンテナ類ＡＴから電波を出し、該電波の届く範囲内に存在するタグ（ＲＦＩＤタグ）へ信号を送る。そして、該タグから返答信号を送り、この返答信号がＲ／Ｗ１へ到達して受信されると、ＰＣ３では前記タグの位置を認識する。この場合、Ｒ／Ｗ１と通信できたタグは、そのアンテナ類ＡＴが設置された位置にあると認識できる。
【０２００】
このようにすれば、書棚６４の各棚の下側に設置されたアンテナ類ＡＴ（漏洩同軸ケーブル又はストリップライン）の上側の棚に収納された本などの書類の管理をＰＣ３側で行なえる。
【０２０１】
Ｂ：例２の説明（図１８のＢ図参照）
例２は、センタ給電方式の例であり、本発明のタグ識別装置を複数の書棚の管理用として用いた例である。この場合、ＰＣ３にＲ／Ｗ１を接続し、該Ｒ／Ｗ１にＲＦスイッチハブ（ＨＵＢ）２を接続し、該ＲＦスイッチハブ（ＨＵＢ）２のハブから多数のアンテナ類ＡＴを接続（スター配線）している。
【０２０２】
この場合、図示点線で示した部分は書棚６４を示しており、書棚６４が横方向に複数（この例では３個）並べて設置してある。書棚６４の上下方向の各棚にはそれぞれアンテナ類ＡＴの内、漏洩同軸ケーブル又はストリップラインを水平方向に所定間隔で設置している。そして、複数の書棚６４の各棚の同じ高さの棚のアンテナ類ＡＴ同士を直列に接続している。
【０２０３】
また、例えば、上から１、２段目の棚のアンテナ類ＡＴの先端には、更にＲＦスイッチ（ＳＷ）４を介してゲートアンテナを設置しており、下側２段の棚のアンテナ類ＡＴの先端には、終端抵抗１９を接続している。
【０２０４】
このようにすれば、横方向に並べて設置した各書棚６４の各棚の下側に設置されたアンテナ類ＡＴ（漏洩同軸ケーブル又はストリップライン）の上側の棚に収納された本などの書類の管理をＰＣ３側で行なえる。なお、使用方法は例１と同じである。
【０２０５】
Ｃ：例３の説明（図１８のＣ図参照）
例３は、センタ給電方式の例であり、本発明のタグ識別装置を書棚の管理用として用いた例である。この場合、ＰＣ３にＲ／Ｗ１を接続し、該Ｒ／Ｗ１にＲＦスイッチハブ（ＨＵＢ）２を接続し、該ＲＦスイッチハブ（ＨＵＢ）２のハブから多数のアンテナ類ＡＴ（漏洩同軸ケーブル又はストリップライン）を接続している。また、該ＲＦスイッチハブ（ＨＵＢ）２のハブからＲＦスイッチ４を介して多数のアンテナ類ＡＴ（漏洩同軸ケーブル又はストリップライン）を直列接続している。
【０２０６】
この場合、図示点線で示した部分は書棚６４を示しており、書棚６４の上下方向の各棚の下側及び両側面側にはそれぞれアンテナ類ＡＴの内、漏洩同軸ケーブル又はストリップラインを水平方向に所定間隔で設置している。そして、各棚の下側に設置したアンテナ類ＡＴ同士を直列に接続している。また、各棚の両側の側面部にはＲＦスイッチ４を介して１個づつのアンテナ類ＡＴが縦方向に設置してある。
【０２０７】
このようにすれば、書棚６４の各棚の下側及び両側に設置されたアンテナ類ＡＴ（漏洩同軸ケーブル又はストリップライン）により、棚に収納された本などの書類の管理をより一層確実にＰＣ３側で行なえる。なお、使用方法は例１と同じである。
【０２０８】
Ｄ：例４の説明（図１８のＤ図参照）
例４は、アンテナ類ＡＴの設置位置を工夫して、アンテナ類ＡＴから放射される電波の範囲を狭くすることで、より一層確実なタグの管理ができるようにした例である。図の円形で示した範囲は、タグを置いて管理するための小領域を示しており、これら多数の小領域毎に割り振られたアンテナ類ＡＴからの電波をタグが受信できるようにする。
【０２０９】
このように、各アンテナ類ＡＴから放射される電波の範囲は円形の範囲とし、例えば、直線で示した部分に沿ってそれぞれアンテナ類ＡＴ（例えば、ストリップライン又は漏洩同軸ケーブル）を設置する。このようにすればより一層狭い範囲に限定した電波の放射領域により確実なタグの識別が可能になる。なお、使用方法は例１と同じである。
【０２１０】
Ｅ：例５の説明（図１８のＥ図参照）
例５は、アンテナ類ＡＴの設置位置を工夫して、アンテナ類ＡＴから放射される電波の範囲を狭くすることで、より一層確実なタグの管理ができるようにした例である。図の円形で示した範囲は、タグを置いて管理するための小領域を示しており、これら多数の小領域毎に割り振られたアンテナ類ＡＴからの電波をタグが受信できるようにする。
【０２１１】
このような円形の範囲にそれぞれアンテナ類ＡＴからの電波を割り振る。このようにすればより一層狭い範囲に限定した電波の放射領域により確実なタグの識別が可能になる。なお、使用方法は例１と同じである。
【０２１２】
§６：その他の説明
前記の説明の他に、本発明は次のように構成することもできる。
【０２１３】
(1) ：前記タグ識別装置において、少なくとも一つのＲＦスイッチ４の後段に、複数のアンテナ類ＡＴに対して切替中継するＲＦスイッチハブ２を接続する。
【０２１４】
(2) ：前記タグ識別装置において、ＲＦスイッチハブ２の後段に、アンテナ類ＡＴ又は外部に中継するＲＦスイッチ４を少なくとも一つ接続する。
【０２１５】
(3) ：前記タグ識別装置において、Ｒ／Ｗ１のＲＦ送受信部１１には、アンテナ類ＡＴを切り替えるアンテナ切替信号を前記給電ケーブルに送出するアンテナ切替制御部５２を備え、ＲＦスイッチハブ２又はＲＦスイッチ４が、該アンテナ切替信号を受けて、各々に接続されたアンテナ類ＡＴ又は後段のＲＦスイッチハブ２又はＲＦスイッチ４に該無線通信用高周波電力を切り替え中継するＲＦ切替部（２７、４２）を制御するためのＳＷ制御部（３０又は４６）を備えている。
【０２１６】
(4) ：前記タグ識別装置において、前記ＳＷ制御部（３０又は４６）が、該アンテナ切替信号を受けて切り替えたとき、該Ｒ／Ｗ１内のアンテナ切替制御部５２へレスポンスを返す。
【０２１７】
(5) ：前記タグ識別装置において、前記直流重畳部（１２又は２８又は４８）は該無線通信用高周波電力を切り替え中継動作とは独立して後段のＲＦスイッチハブ２又はＲＦスイッチ４へ直流電圧を中継して給電する直流給電部１３又は直流受電部２２又は４３を備えている。
【０２１８】
(6) ：前記タグ識別装置において、前記各々のＲＦスイッチ４が、所定のタイミングで所定の時間アンテナ類ＡＴ側に切り替えるワンショット回路５６（図９、１１参照）を備え、後段のＲＦスイッチ４は前段の該ワンショット回路５６からのタイミング信号を受けたとき、該ワンショット回路５６が所定の時間アンテナ類ＡＴ側に切り替える。
【０２１９】
(7) ：前記タグ識別装置において、前記各々のＲＦスイッチ４が、該ワンショット回路５６のマスタ／スレーブを設定するモード設定部（親／子設定スイッチ５４）（図９、１１参照）を備え、マスタに設定されたワンショット回路５６が最初に所定の時間アンテナ類ＡＴ側に切り替える。
【０２２０】
(8) ：前記タグ識別装置において、最終段のＲＦスイッチ４のワンショット回路５６からのタイミング信号が、直前段のＲＦスイッチ４を経由して順次、該切替制御部（ＲＦ切替部４２）に直結する最前段のＲＦスイッチ４に折り返されると共に、該切替制御部（ＲＦ切替部４２）にも供給し、該切替制御部（ＲＦ切替部４２）が該タイミング信号を監視する。
【０２２１】
(9) ：前記タグ識別装置において、各ＲＦスイッチ４が、アラームを発する状態表示ランプ６０（又はブザー等の鳴動部）を備え、前段からの該タイミング信号と後段へ出力する該タイミング信号の時間差を監視する停止監視部（図示省略）が該表示又は鳴動部を制御する。
【０２２２】
(10)：前記タグ識別装置において、前記ＲＦスイッチ４又はＲＦスイッチハブ２にケーブルロス補償用増幅器（ＲＦアンプ２５）を備えた。
【０２２３】
(11)：前記タグ識別装置において、前記ＲＦスイッチ４又はＲＦスイッチハブ２のＲＦスイッチ回路数＋１の回路を設け、その１回路が終端器（終端抵抗１９）に接続されている。
【０２２４】
§７：付記
前記の説明に対し、次のような構成を付記する。
【０２２５】
（付記１）
情報の読み書きを行うためのリーダ／ライタとの間で電波によって非接触で情報のやり取りを行う無線自動識別タグを識別対象物に関連付けて複数備えると共に、前記各無線自動識別タグと無線通信可能な位置に設けた送受信アンテナ、漏洩同軸ケーブル、ストリップラインの何れかで構成されたアンテナ類を複数備え、
前記リーダ／ライタが前記無線自動識別タグと通信できた場合、その無線自動識別タグは、そのアンテナ類が設置された位置にあると認識するタグ識別装置において、
前記リーダ／ライタは、無線通信用高周波電力を給電ケーブルを介して給電し、前記無線自動識別タグと送受信するための送受信部を備えると共に、
前記リーダ／ライタに接続され、前記給電ケーブルからの無線通信用高周波電力を、接続されたアンテナ類又は外部に中継する複数の高周波切替部（ＲＦスイッチ４）を備え、
前記高周波切替部のそれぞれが直列に接続され、前記リーダ／ライタにより高周波切替部を介してアンテナ類ＡＴを時分割駆動することで、前記アンテナ類を時分割で切替使用するように構成されていることを特徴とするタグ識別装置。
【０２２６】
（付記２）
情報の読み書きを行うためのリーダ／ライタとの間で電波によって非接触で情報のやり取りを行う無線自動識別タグを識別対象物に関連付けて複数備えると共に、前記各無線自動識別タグと無線通信可能な位置に設けた送受信アンテナ、漏洩同軸ケーブル、ストリップラインの何れかで構成されたアンテナ類を複数備え、
前記リーダ／ライタが前記無線自動識別タグと通信できた場合、その無線自動識別タグは、そのアンテナ類が設置された位置にあると認識するタグ識別装置において、
前記リーダ／ライタは、無線通信用高周波電力を給電ケーブルを介して給電し、前記無線自動識別タグと送受信するための送受信部を備えると共に、
前記リーダ／ライタに接続され、前記給電ケーブルからの無線通信用高周波電力を複数のアンテナ類に対して切替中継する高周波切替ハブ（ＲＦスイッチハブ２）を備え、前記リーダ／ライタにより前記高周波切替ハブを介してアンテナ類ＡＴを時分割駆動することで、前記アンテナ類を時分割で切替使用するように構成されていることを特徴とするタグ識別装置。
【０２２７】
（付記３）
前記付記１又は２のタグ識別装置において、
前記リーダ／ライタは、前記給電ケーブルに直流電圧を給電する直流重畳部を備え、
前記高周波切替部（ＲＦスイッチ４）又は高周波切替ハブ（ＲＦスイッチハブ２）には、前記直流電圧を分離する直流分離部を備えると共に、
後段の高周波切替部（ＲＦスイッチ４）及び高周波切替ハブ（ＲＦスイッチハブ２）には前記直流電圧を給電する直流重畳部を備えていることを特徴とするタグ識別装置。
【０２２８】
（付記４）
前記付記１又は２のタグ識別装置において、
前記高周波切替部（ＲＦスイッチ４）及び高周波切替ハブ（ＲＦスイッチハブ２）に、直流電圧を給電する電源バスを備えていることを特徴とするタグ識別装置。
【０２２９】
（付記５）
前記付記１、３、４のいずれかのタグ識別装置において、
少なくとも一つの高周波切替部（ＲＦスイッチ４）の後段に、複数の送受信アンテナ類に対して切替中継する高周波切替ハブ（ＲＦスイッチハブ２）を接続したことを特徴とするタグ識別装置。
【０２３０】
（付記６）
前記付記２乃至４のいずれかのタグ識別装置において、
前記高周波切替ハブ（ＲＦスイッチハブ２）の後段に、接続されたアンテナ類ＡＴまたは外部に中継する高周波切替部（ＲＦスイッチ４）を少なくとも一つ接続したことを特徴とするタグ識別装置。
【０２３１】
（付記７）
リーダ／ライタとの間で電波によって非接触で情報のやり取りを行う無線自動識別タグを識別対象物に関連付けて複数備えると共に、前記各無線自動識別タグと無線通信可能な近傍位置に設けた送受信アンテナ、漏洩同軸ケーブル、ストリップラインの何れかで構成されたアンテナ類を複数備えたタグ識別装置のアンテナ類接続構造において、
無線通信用高周波電力を給電ケーブルを介して給電する送受信部を備えたリーダ／ライタと、
前記リーダ／ライタに接続され、前記給電ケーブルからの無線通信用高周波電力を、接続された送受信アンテナ類又は外部に中継する複数の高周波切替部を備え、
前記高周波切替部のそれぞれが直列に接続されていることを特徴とするタグ識別装置のアンテナ類接続構造。
【０２３２】
（付記８）
無線通信用高周波電力を給電ケーブルを介して給電する送受信部を備えたリーダ／ライタと、
前記リーダ／ライタに接続され、前記給電ケーブルからの無線通信用高周波電力を複数の送受信アンテナ類に対して切替中継する高周波切替ハブを備えていることを特徴とするタグ識別装置のアンテナ類接続構造。
【図面の簡単な説明】
【０２３３】
【図１】本発明の原理説明図であり、Ａ図は原理説明図１、Ｂ図は原理説明図２である。
【図２】実施の形態におけるアンテナ類接続構成の説明図（その１）であり、Ａ図は構成例１、Ｂ図は構成例２である。
【図３】実施の形態におけるアンテナ類接続構成の説明図（その２）であり、Ａ図は構成例３、Ｂ図は構成例４である。
【図４】実施の形態におけるタイミングチャートであり、Ａ図は従来例１、Ｂ図はシリアル化例１、Ｃ図はシリアル化例２の各タイミングチャートである。
【図５】実施の形態におけるリーダ／ライタ（Ｒ／Ｗ）、ＲＦスイッチハブ、ＲＦスイッチの説明図である。
【図６】実施の形態におけるＲ／Ｗとアンテナ類との接続構成例（その１）であり、Ａ図はシステムブロック図、Ｂ図は動作タイミング例である。
【図７】実施の形態におけるＲ／Ｗとアンテナ類との接続構成例（その１）であり、Ａ図はバス関連ブロック図である。
【図８】実施の形態におけるＲ／Ｗとアンテナ類との接続構成例（その２）であり、Ａ図はシステムブロック図、Ｂ図は動作タイミング例である。
【図９】実施の形態におけるＲ／Ｗとアンテナ類との接続構成例（その２）であり、Ａ図はバス関連ブロック図である。
【図１０】実施の形態におけるＲ／Ｗとアンテナ類との接続構成例（その３）であり、Ａ図はシステムブロック図、Ｂ図は動作タイミング例である。
【図１１】実施の形態におけるＲ／Ｗとアンテナ類との接続構成例（その３）であり、Ａ図はバス関連ブロック図である。
【図１２】実施の形態におけるＲ／Ｗとアンテナ類との接続構成例（その４）であり、Ａ図はシステムブロック図、Ｂ図は動作タイミング例である。
【図１３】実施の形態におけるＲ／Ｗとアンテナ類との接続構成例（その４）であり、Ａ図はバス関連ブロック図である。
【図１４】実施の形態におけるＲ／Ｗとアンテナ類との接続構成例（その５）であり、Ａ図はシステムブロック図、Ｂ図は動作タイミング例である。
【図１５】実施の形態におけるＲ／Ｗとアンテナ類との接続構成例（その５）であり、Ａ図はバス関連ブロック図である。
【図１６】実施の形態におけるＲ／Ｗとアンテナ類との接続構成例（その６）であり、Ａ図はシステムブロック図、Ｂ図は動作タイミング例である。
【図１７】実施の形態におけるＲ／Ｗとアンテナ類との接続構成例（その６）であり、Ａ図はバス関連ブロック図である。
【図１８】実施の形態における応用例の説明図であり、Ａ図は例１、Ｂ図は例２、Ｃ図は例３、Ｄ図は例４、Ｅ図は例５である。
【図１９】従来例１の説明図である。
【符号の説明】
【０２３４】
１  リーダ／ライタ（Ｒ／Ｗ）
２  ＲＦスイッチハブ
３  パーソナルコンピュータ（ＰＣ）
４  ＲＦスイッチ
６  ＲＦＩＤタグ（タグ）
１１  ＲＦ送受信部
１２、４８  直流重畳部
１３、５０  直流給電部
１４、３０、４６  ＳＷ制御部
１６  同軸ケーブル
１７  直流給電ケーブル
１８  直流電源バス
１９  終端抵抗（ＴＲＭ）
２０  直流電源部
２１、４１  直流分離部
２２  直流受電部
２３  カプラ
２４、４４  疑似ＲＦＩＤ
２５  ＲＦアンプ
２６  カプラ
２７、４２  ＲＦ切替部
２８  直流重畳部
２９  電力レベル検出部
３１、４７  ＰＳＷ（パワースイッチ）
３２  制御ケーブル
３３  参照用タグ
３４  制御用タグ
３５  ストリップライン
３６  減衰器
３７  分配器
３８  制御用タグＩＣ
４３  直流受電部
４６  スイッチ制御部
４９  ＡＬＭ検出部
５１  トリガスイッチ
５２  アンテナ切替制御部
５４  親／子設定スイッチ
５５  論理ゲート
５６  ワンショット回路
５７  ＮＯＴ回路
５８  ラッチ回路
６０  状態表示ランプ
６１  短絡回路
６２  ストリップライン又は漏洩同軸ケーブル
６４  書棚
【図１】
2009069934.tif 000003
【図２】
2009069934.tif 000004
【図３】
2009069934.tif 000005
【図４】
2009069934.tif 000006
【図５】
2009069934.tif 000007
【図６】
2009069934.tif 000008
【図７】
2009069934.tif 000009
【図８】
2009069934.tif 000010
【図９】
2009069934.tif 000011
【図１０】
2009069934.tif 000012
【図１１】
2009069934.tif 000013
【図１２】
2009069934.tif 000014
【図１３】
2009069934.tif 000015
【図１４】
2009069934.tif 000016
【図１５】
2009069934.tif 000017
【図１６】
2009069934.tif 000018
【図１７】
2009069934.tif 000019
【図１８】
2009069934.tif 000020
【図１９】
2009069934.tif 000021